(57)【要約】【課題】両方の筒を連結させる際、具体的には、係合突起が係合穴に向かう組み立ての過程で、その係合突起は内方に向かって十分に可撓していなければならない。よって、十分に可撓させながらの組み立てとなり、それ故に、係合突起の外筒内壁面に対する摩擦力が高く、組み立てが困難なものとなってしまっていた。また、組み立てる際に係合突起と係合穴との位置決めが正確なされていないと、組み立て過程における位置決めの修正は困難であった。即ち、摩擦力が大きい状態で互いを周方向に相対的に回転させつつ、長手方向に押し込まなければならないのである。【解決手段】一方の軸に略Ｌ字形の溝を形成すると共に、そのＬ字形の浅溝部の端部に、その浅溝部よりも深い深溝部を形成し、又、他方の軸には前記浅溝部を摺接移動し深溝部に係合する突部を形成した軸の連結構造。【選択図】  図１
2004232742.tif 000002
【特許請求の範囲】
【請求項１】
一方の軸に略Ｌ字形の溝を形成すると共に、そのＬ字形の浅溝部の端部に、その浅溝部よりも深い深溝部を形成し、又、他方の軸には前記浅溝部を摺接移動し深溝部に係合する突部を形成したことを特徴とする軸の連結構造。
【請求項２】
前記略Ｌ字形の溝を一方の軸の内周面に形成すると共に、他方の軸の外周面に前記突部を形成したことを特徴とする請求項１記載の軸の連結構造。
【請求項３】
前記突部の径方向の側面の一方に傾斜面を形成すると共に、他方の側面には軸の略中心に向かう垂面を形成したことを特徴とする請求項１，或いは、請求項２に記載の軸の連結構造。
【発明の詳細な説明】
【０００１】
【発明の属する技術分野】
本発明は、軸の連結構造に関し、例えば、筆記具の後部に取り付けられている尾栓と軸本体との連結構造に関する。
【０００２】
【従来の技術】
軸筒の連結構造の１例として、内壁に内方に突出する係合突起を設けた外筒と側壁に係合孔を設ける可撓片を形成した内筒とよりなり、外筒に内筒を嵌合の上、上記外筒の係合突起を内筒の係止孔に係合してなる連結構造が知られている（特許文献１参照）。
【０００３】
【特許文献１】
実公平６−４６７１７号公報（請求項１、第１図）。
【０００４】
【発明が解決しようとする課題】
しかし、前記の従来技術にあっては、両方の筒を連結させる際、具体的には、係合突起が係合穴に向かう組み立ての過程で、その係合突起は内方に向かって十分に可撓していなければならない。よって、十分に可撓させながらの組み立てとなり、それ故に、係合突起の外筒内壁面に対する摩擦力が高く、組み立てが困難なものとなってしまっていた。また、組み立てる際に係合突起と係合穴との位置決めが正確にされていないと、組み立て過程における位置決めの修正は困難であった。即ち、摩擦力が大きい状態で互いを周方向に相対的に回転させつつ、長手方向に押し込まなければならないのである。
【０００５】
【課題を解決するための手段】
本発明は、一方の軸に略Ｌ字形の溝を形成すると共に、そのＬ字形の浅溝部の端部に、その浅溝部よりも深い深溝部を形成し、又、他方の軸には前記浅溝部を摺接移動し深溝部に係合する突部を形成したことを要旨とする。
【０００６】
【作用】
組み立て過程における突部の変形量が少なくなると共に、軸の厚さに相当した係合距離が得られる。
【０００７】
【実施例】
軸筒の内部にシャープペンシルが配置され、後部に配置されているノック部材を押圧操作することによって前記シャープペンシルが突出する、いわいる、出没式の筆記具（シャープペンシル）を１例として挙げ説明するが、これに限定されるものではない。内部に配置される物がボールペンであっても良いし、筆記具に限らず、電子入力ペンなどであっても良い。また、出没式の筆記具に限らず、例えば、キャップの着脱によってボールペンのペン先を保護するような一般的な筆記具に適用させたクリップであっても良い。
軸筒１の前端には、先部２が一体形成されているが、別部材で構成し互いを螺着などの手段によって着脱自在に固定しても良い。また、軸筒１の内部には、中軸３が前後動自在に配置されており、その中軸３の先端には先具４が螺着などの手段によって着脱自在に固定されている。その先具４の先端には、芯を案内する芯保護管部５が一体形成されているが、別部材で構成し互いを圧入などの手段によって固定しても良い。これら中軸３や先具４は、常時は、弾撥部材６によって後方に付勢され、前記軸筒１内に収納されているが、中軸３が前進移動することによって、先部２の先端から突出し得るようになっている。
【０００８】
一方、前記軸筒１の後部には尾冠１４が取り付けられ、その尾冠１４には軸筒１の径方向に付勢されたクリップ７が固定されており、そのクリップ７の先端内側には玉部８が形成されている。そして、前記中軸３が前進し、その中軸３の後端部９が玉部８に達すると、クリップ７の前方部分が軸筒１の窓孔１ａを介して径方向に倒れ込むように回転し、クリップ７の係合部１０が中軸４の後端部９に係合するのである。
ここで、前記クリップ７は、金属材質からなる弾性状のクリップ本体１１と樹脂材質からなる比較的弾性を有しない押圧操作部材１２とから構成されているが、これに限定されることはなく、クリップ本体を弾性状の樹脂材質から構成し、一方、押圧操作部材を弾性を有さない金属材質から構成するなどしても良い。そして、クリップ本体１１の後部はコ字形（クリップ基部）に形成されており、そのクリップ基部１３が前記軸筒１の後部に着脱自在に固定された尾冠１４に圧入・固定されている。さらに詳述すると、前記押圧操作部材１２のほぼ中央部には窓孔１５が形成されており、前記クリップ本体１１がその窓孔１５を貫通している。そして、その押圧操作部材１２の後方部はクリップ７と軸筒１との連結部から後方に向けて延設形成されている。又、クリップ本体１１には２つの係合孔１６が形成されており、その係合孔１６に押圧操作部材１２の突起１７が圧入されている。即ち、この圧入状態によって押圧操作部材１２とクリップ本体１１とが結合されており、さらに、押圧操作部材１２は窓孔１５にクリップ本体１１を貫通させて結合しているため、比較的、強い押圧操作力を作用させても外れない構造となっている。
【０００９】
次ぎに、前記軸筒１と尾冠１４との連結構造について具体的に説明する。軸筒１の後部には、後端開口部１ｂから前方に向かって縮形するＶ溝１ｃが形成されている。そのＶ溝の底面部は、鋭角な状態に形成されているのではなく、平面部１ｄとなっている。また、軸筒１の後部内面には、後端開口部１ｂから前方に向かってＬ字形の案内溝１ｅが形成されている。詳述すると、軸筒１の軸線方向に形成された縦溝１ｆと、その縦溝１ｆから径方向に形成された横溝１ｇとからＬ字形の案内溝１ｅが形成されている。そして、そのＬ字形の案内溝１ｅの横溝１ｇには、貫通孔１ｈが形成されている。この貫通孔１ｈは、本例では貫通した孔となっているが、前記案内溝１ｅよりも深く形成されていれば良い。即ち、この貫通孔１ｈが本発明における深溝部となっている。このＬ字形の案内溝１ｅや貫通孔１ｈは、対向した２箇所の位置に形成されているが、片側のみであっても良い。
【００１０】
前記尾冠１４のクリップ７と反対側の位置には、前記軸筒１に形成されたＶ溝１ｃに嵌り込むＶ字形突起１４ａが形成されている。そして、そのＶ字形突起１４ａの上部には鍔部１４ｂが形成されており、前記軸筒１の後端開口部１ｂの端面に当接している。
また、尾冠１４の前方側面には、前記軸筒１の案内溝１ｅを摺接し、貫通孔１ｈに係合する突部１４ｃが形成されている。この突部１４ｃは軸筒１の厚さとほぼ同等な高さを有しており、また、突部１４ｃの径方向の側面の一方には、傾斜面１４ｄが形成され、他方の側面には前記軸筒１の略中心に向かう垂面１４ｅが形成されている。尚、傾斜面１４ｄは、前記縦溝１ｆの方向に傾斜した状態で形成されている。符号１４ｆは、尾冠１４を軸当１に連結させる際、突部１４ｃが内方に向かって弾性変形するためのスリットであって、対向した２箇所に形成されている。
【００１１】
前記中軸３の内側には、芯タンク１８が摺動自在に配置されており、その芯タンク１８の前端には、芯の把持・解放を行うチャック体１９が固定されている。また、そのチャック体１９の前方部分には、チャック体１９の開閉を行うチャックリング２０が囲撓している。そして、チャック体１９の前方には、芯の後退を阻止するゴム状弾性体からなる芯戻り止め部材２１が位置しており、その芯戻り止め部材２１は前記先具５の内面に圧入・固定されている。符号２２は、前記芯タンク１８やチャック体１９などを後方に付勢するコイルスプリングなどの弾撥部材であり、中軸３と芯タンク１９との間に張設されている。
他方、前記芯タンク１８の後部には、消しゴム２３が着脱自在に嵌入されていおり、又、その消しゴム２３を覆うようにノック部材２４が着脱自在に取り付けられている。
【００１２】
次ぎに軸筒１と尾冠１４との連結方法、即ち、組み立て方法について説明する。最初に尾冠１４の突部１４ｃを前記軸筒１の縦溝１ｆに合致させ強く押し込む。この時、前記突部１４ｃはスリット１４ｆを利用し内方へ弾性変形するが、その弾性変形の量は、前記縦溝１ｆの深さ分、変形量が抑制される。よって、従来技術に比し、ほぼ同等な挿入距離を設定した場合においては、比較的軽い力で押し込むことができる。押し込み動作によって、縦溝１ｆの下端に突部１４ｃが達した段階で、尾冠１４を軸筒１に対して相対的に回転させる。この回転動作によって、尾冠１４の突部１４ｃが横溝１ｇの貫通孔１ｈに没入・係合する。この時、突部１４ｃを、ほぼ軸筒１の厚さ分係合する構成とし、軸心方向に対する抜け防止効果を強固なものとしても良いが、十分な係合力が得られるので有れば、軸筒１の厚さよりも若干少なく係合させても良い。言い換えれば、突部１４ｃの内方への変形量と案内溝１ｅの深さの総量が係合している量となっている。しかるに、本実施例で示したような出没式の筆記具に対しては、特に有効な手段となっている。即ち、中軸３を後退させた際には、尾冠１４に大きな衝撃力が加わる。この衝撃力による尾冠１４の脱落が確実に防止されるのである。又、突部１４ｃの垂面１４ｅが貫通孔１ｈの内壁面に面接触するため、軸筒１に対する尾冠１４の位置決め性が良好となる。
ここで、何らかの理由によって、軸筒１と尾冠１４とを分離しなければならない場合には、尾冠１４を軸筒１に対して相対的に回転させる。この時、突部１４ｃに形成されている傾斜面１４ｄによって、多少の引っかかりはあるものの容易に回転させることができる。次いで、尾冠１４を軸筒１と離隔する方向に引っ張り分離させる。また、分離する際においては、窓孔１ａからクリップ７の玉部８を持ち上げ、離脱させなければ尾冠１４を回転することができない構造となっている。その為、中軸３とクリップ７との係合は必ず解除された状態となっている。よって、尾冠１４を離脱させる際には、弾撥部材６はほぼ自由長（ほぼ非圧縮状態）となっているため、その弾撥力は弱いものとなっており、もって、中軸３が勢いよく飛び出す危険性は少なく、分離動作の安全性が確保される。
【００１３】
次に使用例について説明する。ノック部材２４を押圧すると、弾撥部材６の弾撥力に抗して前記中軸３並びに、芯タンク１８などが前進移動し、先部２の先端から先具４並びに、芯保護管部５が突出する。この時、中軸３の後端９が、クリップ７の係合部１０に係合し、前記弾撥部材６の復帰力による後退動作が阻止される。ここで、一度戻した後、更にノック部材２４を押圧すれば、芯タンク１８やチャック体１９が弾撥部材２２の弾撥力に抗して前進し、芯の繰り出し操作が行われる。
再び、先具５を先部２内に収納したい場合には、前記クリップ７に固定された押圧操作部材１２の後部を軸筒１の方向に押圧する。この動作によってクリップ本体１１の尾冠１４との接触部Ｓを支点とし、クリップ本体１１は前方部分が持ち上げられるように回転し、係合部１０と中軸３の後端９との係合が解除される。この瞬間に前記中軸３が弾撥部材６の復元作用によって後退する。
尚、前記中軸３が復帰した状態においては、芯タンク１８の鍔部１８ａが尾冠１４の前端面に押し付けられるようなっている。芯タンク１８の後退位置が規制されることによって、チャック体１９が開放状態となり、万が一、芯が繰り出されている状態であっても、芯が芯タンク内に容易に埋没する。
【００１４】
【発明の効果】
本発明は、一方の軸に略Ｌ字形の溝を形成すると共に、そのＬ字形の浅溝部の端部に、その浅溝部よりも深い深溝部を形成し、又、他方の軸には前記浅溝部を摺接移動し深溝部に係合する突部を形成したので、容易に互いの軸を連結させることができ、また、強固な連結状態が得られる。
【図面の簡単な説明】
【図１】本発明の１例を示す縦半断面図（突出状態）。
【図２】図１の右側面外観図。
【図３】図１の斜視図。
【図４】軸筒の要部断面斜視図。
【図５】尾冠の外観斜視図。
【図６】図５の底面図。
【符号の説明】
１      軸筒
１ａ    窓孔
１ｂ    後端開口部
１ｃ    Ｖ溝
１ｄ    平面部
１ｅ    案内溝
１ｆ    縦溝
１ｇ    横溝
１ｈ    貫通孔
２      先部
３      中軸
４      先具
５      芯保護管部
６      弾撥部材
７      クリップ
８      玉部
９      後端部
１０      係合部
１１      クリップ本体
１２      押圧操作部材
１３      クリップ基部
１４      尾冠
１４ａ    Ｖ字形突起
１４ｂ    鍔部
１４ｃ    突部
１４ｄ    傾斜面
１４ｅ    垂面
１４ｆ    スリット
１５      窓孔
１６      係合孔
１７      突起
１８      芯タンク
１８ａ      鍔部
１９      チャック体
２０      チャックリング
２１      芯戻り止め部材
２２      弾撥部材
２３      消しゴム
２４      ノック部材
Ｓ      接触部
【図１】
2004232742.tif 000003
【図２】
2004232742.tif 000004
【図３】
2004232742.tif 000005
【図４】
2004232742.tif 000006
【図５】
2004232742.tif 000007
【図６】
2004232742.tif 000008